【事件の表示】
　特願２００６−５３２４０９「窒素原子を有するエラストマー系シランおよびシロキサンを含有するエマルジョンのパーソナルケア用途」拒絶査定不服審判事件〔平成１６年１２月　２日国際公開、ＷＯ２００４／１０３３２６、平成１９年　６月　７日国内公表、特表２００７−５１４６４５、請求項の数（１０）〕について、次のとおり審決する。
【結　論】
　原査定を取り消す。
　本願の発明は、特許すべきものとする。
【理　由】
　
第１　手続の経緯 
　
　本願は、２００４年４月１５日（パリ条約による優先権主張外国庁受理２００３年５月１６日、米国）を国際出願日とする出願であって、平成１９年３月１９日付けで手続補正書が提出され、平成２１年２月２７日付けで拒絶理由が通知され、同年７月３日付けで意見書及び誤訳訂正書が提出され、平成２２年６月２８日付けで拒絶理由が通知され、同年１２月２８日付けで意見書が提出されたが、平成２３年８月１日付けで拒絶査定がなされ、これに対し、同年１２月１５日付けで拒絶査定不服審判が請求され、平成２４年２月９日付けで手続補正書（方式）が提出され、平成２５年９月３０日付けで拒絶理由が通知され、平成２５年１２月２５日付けで手続補正書が提出されたものである。 
　
第２　本願発明
　
　本願の特許請求の範囲の請求項１〜１０に係る発明（以下、「本願発明１」ないし「本願発明１０」という。）は、平成２５年１２月２５日付け手続補正書の特許請求の範囲の請求項１〜１０に記載された事項により特定される、次のとおりのものである。
　
「【請求項１】
　毛髪を処理する方法であって、
　(v)水性極性相中に分散された(iii)架橋剤および(iv)界面活性剤の存在下で(i)エポキシド基またはハロヒドリン基を分子中に有する有機第四級アンモニウム化合物と(ii)アミノ基を分子中に有するシランまたはシロキサンとを反応させることによって調製される第四級アンモニウム基を分子中に有するエラストマー系シランまたはシロキサンをエマルジョンまたはマイクロエマルジョンの油相として含有する水中油型（Ｏ／Ｗ）または油中水型（Ｗ／Ｏ）のエマルジョンまたはマイクロエマルジョンを、毛髪に塗布することを含む、毛髪を処理する方法。
【請求項２】
　エポキシド基を有する前記有機第四級アンモニウム化合物が、グリシジルトリメチルアンモニウムクロライドまたはグリシジルトリメチルアンモニウムブロミドである請求項１に記載の方法。
【請求項３】
　ハロヒドリン基を有する前記有機第四級アンモニウム化合物が、（３−クロロ−２−ヒドロキシプロピル）トリメチルアンモニウムクロライド、（３−クロロ−２−ヒドロキシプロピル）ジメチルドデシルアンモニウムクロライド、（３−クロロ−２−ヒドロキシプロピル）ジメチルオクタデシルアンモニウムクロライド、（３−クロロ−２−ヒドロキシプロピル）トリメチルアンモニウムブロミド、（３−クロロ−２−ヒドロキシプロピル）ジメチルドデシルアンモニウムブロミドおよび（３−クロロ−２−ヒドロキシプロピル）ジメチルオクタデシルアンモニウムブロミドからなる群から選択される請求項１に記載の方法。
【請求項４】
　前記水性極性相が水である請求項１に記載の方法。
【請求項５】
　前記水性極性相が、水および極性有機化合物を含む請求項１に記載の方法。
【請求項６】
　前記極性有機化合物が、モノヒドロキシアルコール、ジオール、トリオール、グリセロールエステルおよびポリグリコールからなる群から選択される請求項５に記載の方法。
【請求項７】
　前記架橋剤が、少なくとも２つのエポキシ基を含有する有機エポキシド、少なくとも２つのエポキシ基を含有するエポキシ官能性シリコーン、クロロヒドリン、１−アクリルオキシ−２−ヒドロキシ−３−メタクリルオキシプロパン、２，２−ジメチルプロピル−２，２−ジメチルプロピオネートジアクリレート、ペンタエリスリトールジアクリレートモノステアレート、ポリエチレングリコール−４００ジアクリレート、ポリエチレングリコール−３００ジアクリレート、ポリプロピレングリコール−４００ジアクリレート、テトラエチレングリコールジアクリレート、ポリプロピレングリコール−７００ジアクリレート、２，２−ビス［−４−（アクリルオキシジエトキシ）フェニル］プロパン、トリエチレングリコールジアクリレート、トリプロピレングリコールジアクリレート、ポリエチレングリコール−６００ジアクリレートおよびプロポキシ化ネオペンチルグリコールジアクリレートから選択される置換ジ（メタ）アクリレート、非置換ジ（メタ）アクリレート、トリメチロールプロパントリアクリレート（ＴＭＰＴＡ）、ジペンタエリスリトールペンタアクリレート、ジペンタエリスリトールヘキサアクリレート、テトラメチロールメタントリアクリレート、トリメチロールメタノールトリアクリレート、トリメチロールプロパンエトキシレートトリアクリレート、トリス（アクリロイルオキシエチル）ホスフェート、トリス（２−ヒドロキシエチル）イソシアヌレートトリアクリレート、エトキシ化トリメチロールプロパントリアクリレート、プロポキシ化トリメチロールプロパントリアクリレート、プロポキシ化グリセリルトリアクリレート、ジ（トリメチロールプロパン）テトラアクリレート、ジ（ペンタエリスリトール）ペンタアクリレートおよびエトキシ化ペンタエリスリトールテトラアクリレートから選択されるオリゴ（メタ）アクリレート、パーフルオロアルキルエチルアクリレート、２−アクリルアミド−２−メチル−１−プロパンスルホン酸、２−アクリロイルオキシエチルハイドロジェンフタレート、β−アクリロイルオキシエチルハイドロジェンサクシネート、アクリロイルオキシエチルリン酸、２−アクリロイルオキシプロピルハイドロジェンフタレート、（３−スルホプロピル）アクリレートのカリウム塩、ビス（３−スルホプロピル）イタコネートのジカリウム塩、Ｎ，Ｎ−ジメチル−Ｎ−メタクリルオキサエチル−Ｎ−（３−スルホプロピル）アンモニウムベタイン、２−カルボキシエチルアクリレート、２−ヒドロキシエチルアクリレート、２−エチルチオエチルメタクリレート、アクリルアミド、メチル２−アクリルアミド−２−メトキシアセテート、アクリロニトリル、（２−（アクリル−オキシ）エチル）（４−ベンゼンベンジル）ジメチルアンモニウムブロミド、（２−ヒドロキシエチル）アクリレート、アクリルオキシジメチルブチロラクトン、アクリル酸、メトキシポリエチレングリコール−４００アクリレート、ノニルフェノールエトキシレートアクリレート、ノニルフェノールジエトキシレートアクリレート、フェノキシジエチレングリコールアクリレート、フェノキシエチルアクリレート、ジメチルアミノエチルアクリレート、ジメチルアミノエチルアクリレー���の塩化メチル塩、グリシジルアクリレート、フェノキシポリエチレングリコールアクリレート、２，２，３，３−テトラフルオロプロピルアクリレート、メトキシポリエチレングリコール−１０００メタクリレート、テトラヒドロフルフリルアクリレート、カプロラクトンアクリレート、２（２−エトキシエトキシ）エチルアクリレートおよび２−アクリルアミドグリコール酸から選択される置換モノ（メタ）アクリレート、ヒドロキシアルキルアクリレートならびにイソシアネートからなる群から選択される請求項１に記載の方法。
【請求項８】
　前記毛髪が、前記水中油型（Ｏ／Ｗ）もしくは油中水型（Ｗ／Ｏ）のエマルジョンもしくはマイクロエマルジョン組成物を含有する、ヘアシャンプー、ヘアコンディショナー、ヘアカラー剤、ヘアリラックス剤、ヘアスプレー、ムース、スタイリングジェルまたはパーマネント剤で処理される請求項１に記載の方法。
【請求項９】
　前記毛髪が、前記水中油型（Ｏ／Ｗ）もしくは油中水型（Ｗ／Ｏ）のエマルジョンもしくはマイクロエマルジョン組成物を含有する、セルロース系基材、合成不織布基材、ウェットクレンジングワイプ、ティッシュまたはタオルで処理される請求項１に記載の方法。
【請求項１０】
　(v)水性極性相中に分散された(iii)架橋剤および(iv)界面活性剤の存在下で(i)エポキシド基またはハロヒドリン基を分子中に有する有機第四級アンモニウム化合物と(ii)アミノ基を分子中に有するシランまたはシロキサンとを反応させることによって調製される第四級アンモニウム基を分子中に有するエラストマー系シランまたはシロキサンをエマルジョンまたはマイクロエマルジョンの油相として含有する水中油型（Ｏ／Ｗ）または油中水型（Ｗ／Ｏ）のエマルジョンまたはマイクロエマルジョン組成物を含有する、ヘアシャンプー、ヘアコンディショナー、ヘアカラー剤、ヘアリラックス剤、ヘアスプレー、ムース、スタイリングジェルまたはパーマネント剤。」
　
第３　引用刊行物の記載事項
　
　平成２２年６月２８日付け拒絶理由通知書において引用された刊行物及びその記載事項は、以下のとおりである。なお、下線は当審で付与した。
　
１．国際公開第０２／０５９２１１号（原査定における引用文献１。以下、「刊行物１」という。訳文は、対応する特表２００４−５２１１７４号公報による。）
　
（刊１−１）「請求項１　（Ｉ）全成分の重量に基づいて０．１〜９９．８９重量％の、
【化１】
　　　　Ｙ
　　　　｜　
　　Ｙ−Ｓｉ−Ｏ−　
　　　　｜　
　　　　Ｙ
　
［式中、Ｙはそれぞれ独立して、Ｒ’（１〜３０個のＣ原子を有するアルキル基、６〜１５個の炭素原子を有するアリール基、６〜１５個の炭素原子を有するアルカリール基、および６〜１５個の炭素原子を有するアラルキル基）、Ｚ（エポキシ官能基またはクロロヒドリン官能基から選択される反応基）、Ｚ’（エポキシ官能基またはクロロヒドリン官能基と反応する官能基）、Ｆ（ＺまたはＺ’以外の官能基）、およびＯ（酸素基）から選択され、ただし、シロキサン中の少なくとも５０モル％のＹ基はＲ’であるものとし、シロキサン中には少なくとも２つのＺおよび／またはＺ’基があるものとする］の単位を有するシロキサンオリゴマーまたはポリマーと、
（ＩＩ）全成分の重量に基づいて０．１〜９９．８９重量％の架橋剤（ここで、該架橋剤は、Ｚおよび／またはＺ’基を含有し、ただし、シロキサン（Ｉ）のＹがＺ基を含有する場合には該架橋剤はＺ’基を含有し、シロキサン（Ｉ）のＹがＺ’基を含有する場合には該架橋剤はＺ基を含有し、シロキサン（Ｉ）のＹがＺおよびＺ’基を含有する場合には該架橋剤はＺ基、Ｚ’基、またはその両方を含有する）とを（ここで、さらに（Ｉ）、（ＩＩ）、または（Ｉ）および（ＩＩ）の両方は少なくとも１つのＦ基を含有する）、
（ＩＩＩ）全成分の重量に基づいて０．１〜９９．８９重量％の、（ｉ）水、（ｉｉ）シリコーン流体、（ｉｉｉ）極性有機化合物、および（ｉｖ）無極性有機化合物、ならびに（ｖ）それらの混合物から選択される希釈剤中で反応させることによって製造される、ゲルおよび／または組織化構造（organized structure）の形態のシリコーンエラストマー。
・・・
請求項５　（ＩＶ）１〜８０重量％の界面活性剤がさらに存在する、請求項１に記載のシリコーンエラストマー。」
　
（刊１−２）「シリコンエラストマー組成物
［０００１］本出願は、２０００年１２月１８日出願の米国特許仮出願第６０／２５６，５３３号の利益を主張するものである。
技術分野
［０００２］本発明は、ゲルおよび／または組織化構造の形態のシリコーンエラストマー組成物に関する。
背景技術
［０００３］パーソナルケア配合物では、配合物に多数の利点を付与するために低粘度のシリコーンを使用することが望ましくなってきている。しかしながら、低粘度シリコーンを添加することから、パーソナルケア配合物に、さらに増粘剤を添加しなければならない。ある種のシリコーンポリマーは、パーソナルケア配合物の特性を低下させずに組成物を増粘するのに必要な量で使用することができるので、増粘剤として役立つことが見出されている。通常は、シリコーンポリマーおよび低粘度シリコーンを合わせて、ペーストが形成される。次に、このペーストは、パーソナルケア配合物において使用することができる。このようなシリコーンポリマーは、米国特許第４，９８７，１６９号（Kuwataら）、同第５，７６０，１１６号（Kilgourら）、同第５，８１１，４８７号（Schulz, Jr. ら）および同第５，８８９，１０８号（Zhang）および同第６，２３８，６５７号（Linら）に記載されている。
［０００４］本発明は、ゲルおよび／または組織化構造の形態にある官能化シリコーンエラストマー組成物に関する。これらの官能基化シリコーンエラストマー組成物は、特にパーソナルケア配合物において有用である。
・・・
［０００８］シロキサンと架橋剤の間の反応のために選択される希釈剤（ＩＩＩ）に応じて、得られるエラストマーは、ゲルまたは組織化構造の形態をとることができる。本発明のエラストマーは、特に、パーソナルケア製品、織物、オートケア製品、およびランドリー製品において、ならびに活性成分の送達のために有用である。」（特表２００４−５２１１７４号公報の段落【０００１】〜【０００４】，【００１０】）
　
（刊１−３）「［００１９］
Ｆ基の実例としては
第４級アンモニウム塩基
　
　
［００２０］
シロキサン（Ｉ）中には
少なくとも２つの反応基が存在
好ましくは、反応基はＺ’であり
好ましい反応基はアミン官能基
・・・
［００３０］架橋剤（ＩＩ）は、有機アミン、有機エポキシド、または上記でシロキサン（Ｉ）について提供された一般式を有するシロキサンなどの有機化合物であってよい。架橋剤（ＩＩ）の量は、シロキサン（Ｉ）のＺおよび／またはＺ’基の反応部位の量と、シロキサン（Ｉ）の分子量とに依存することになる（すなわち、−ＮＨＣＨ２ＣＨ（ＣＨ３）ＣＨ２ＮＨＣＨ２ＣＨ２ＮＨ２基は３つの反応部位を含む）。当業者は、Ｚ基とＺ’基の間の部分反応または完全反応を保証するのに必要な架橋剤の量を容易に計算することができるであろう。通常は、Ｚ基対Ｚ’基の反応部位の比率は、０．１：１〜１．５：１であり、好ましくは０．２：１〜０．５：１であり、さらに好ましくは０．２５：１〜０．３５：１である。
［００３１］本明細書において使用するのに適した少なくとも２つのエポキシ基を含有する有機エポキシドには、エチレングリコールジグリシジルエーテル、ジエチレングリコールジグリシジルエーテル、ポリエチレングリコールジグリシジルエーテル、グリセリンジグリシジルエーテル、トリグリシジルエーテル、プロピレングリコールジグリシジルエーテル、およびブタンジオールジグリシジルエーテル、１，２，３，４−ジエポキシブタン、１，２，４，５−ジエポキシペンタン、１，２，５，６‐ジエポキシヘキサン、１，２，７，８−ジエポキシオクタン、１，３−ジビニルベンゼンジエポキシド、１，４−ジビニルベンゼンジエポキシド、４，４’−イソプロピリデンジフェノールジグリシジルエーテル、ならびにヒドロキノンジグリシジルエーテルが包含される。その他のアルカンポリオールのポリグリシジルエーテル、ポリ（アルキレングリコール）のポリグリシジルエーテル、ジエポキシアルカン、ジエポキシアラルカンおよびポリフェノールポリグリシジルエーテルも本明細書において使用することができる。あるいは、クロロヒドリンは、エポキシドの代わりに、あるいはエポキシドと共に使用することができる。
・・・
［００４７］極性有機化合物（ＩＩＩ）（ｉｉｉ）も希釈剤として使用することができる。本明細書で有用な極性有機化合物としては、エチルアルコールおよびイソプロピルアルコールなどのモノヒドロキシアルコール、プロピレングリコール、２−メチル−１，３−プロパンジオールＨＯＣＨ２ＣＨ（ＣＨ３）ＣＨ２ＯＨ、１，２−ヘキサンジオールＣＨ３（ＣＨ２）３ＣＨ（ＯＨ）ＣＨ２ＯＨ、およびグリセロールなどのジオールおよびトリオール、三酢酸グリセリル（トリアセチン）、トリプロピオン酸グリセリル（トリプロピオニン）およびトリ酪酸グリセリル（トリブチリン）などのグリセロールエステル、ならびにポリエチレングリコールおよびポリプロピレングリコールなどのポリグリコール、中でもＰＰＧ‐１４のブチルエーテルＣ４Ｈ９［ＯＣＨ（ＣＨ３）ＣＨ２］１４ＯＨが挙げられる。
・・・
［００６７］
水および／または極性有機溶媒を希釈剤として使用する場合、反応を乳化重合として実行するのが好ましい
得られるシリコーンエラストマー組成物は、エマルジョン、好ましくはマイクロエマルジョンの形態をとる
・・・
［００７０］
シリコーンエラストマー組成物は、パーソナルケア製品において、例えば
ヘアシャンプー、ヘアコンディショナー、ヘアスプレー、ムース、パーマ、脱毛剤、およびキューティクルコートにおいて使用することができる
［００７１］またこれらの組成物は、医薬品、殺生物剤、除草剤、殺虫剤、および他の生物活性物質のキャリヤの役割を果たすこともできる。また、本組成物は、個人衛生および家庭のクリーニング作業のために一般に販売される、ウェットワイプ、ティッシュおよびタオルなどのウェット様クレンジングワイプにおいて使用されるセルロースまたは合成の不織キャリヤ基材のための添加剤としての実用性を有する。」（特表２００４−５２１１７４号公報の段落【００２５】〜【００２７】，【００４０】〜【００４１】，【００５８】，【００７８】，【００８０】）
　
２．国際公開第０３／０３５７６５号（原査定における引用文献２。以下、「刊行物２」という。訳文は、対応する特表２００５−５０７０２２号公報による。）
　
（刊２−１）「［０００１］本発明は、珪素を基材とする第４アンモニウム官能組成物およびその適用に関するものである。
特に、第４アンモニウム官能シリコーンを含有する新規なエマルジョン
製造方法
使用に関するもの
［０００２］
第４アンモニウム官能シリコーンはその陽電荷のために
個人ケアの用途などで、主に負に帯電している物質や表面の処理に有用である
・・・
［００２２］結果を犠牲にすることなく
パーソナルケア
コンディショニングは
髪に塗布したあと髪をとかす力が少なくてすむようにするヘアトリートメント製品の作用として規定することができる
本発明による第４アンモニウム官能シリコーンを基材とする配合は、髪に優れた調整効果を提供する
　
（刊２−２）「［００４６］この実施例のタイトルは、便宜上付けたものであり、限定を意味するものではない。
実施例１  カチオン化アミノエチルアミノイソブチル官能シリコーンの製造
［００４７］重合度（ＤＰ）約１００で、グラムあたり０．４７３ミリ当量の
アミンを含有するアミノエチルアミノイソブチル官能シリコーンを、グリシジルトリメチルアンモニウムクロリドと反応させ
［００４８］結果物であるカチオン化アミン液は、次の工程を用いて２−ブチルオクタノール溶液に変化させた溶液であった。上述したカチオン化アミン液溶液１４９．７ｇと、２−ブチルオクタノール１７．４ｇを、攪拌器と短い蒸留ヘッドが外付けされているフラスコに入れた。減圧下でイソプロピルアルコールを除去した。冷却した後、シクロヘキサンを加えて残留水を除去し、共沸混合物としての水を除去した。減圧下でシクロヘキサンを除去して、２−ブチルオクタノール中に所望のカチオン化した
シリコーンアミン溶液（第４アンモニウム官能シリコーン）を得た
［００４９］（共沸混合物水の除去は、この実施例のような物質を製造するのに絶対的に必要ではない。）
実施例２  エマルジョンの製造
［００５０］シリコーン第４アンモニウム官能化合物の
エマルジョンを以下の配合によって得た
【表１】
　
　
＊Genapol（登録商標）UD50(HLB=11.0)およびGenapol（登録商標）UD110(HLB=15)は、クラリアントコーポレーション（Clariant Corporation）社から入手可能なC11オキソ−アルコールポリグリコールエーテルである。
［００５１］第４アンモニウム官能シリコーン液をビーカに入れて、ゲナパール（Genapal）界面活性剤を加えた。ビーカの内容物を、
中程度に攪拌して混合
加水
攪拌
残りの水を加えて混合
［００５２］表２は、この実施例で使用した特定エマルジョンの組成と特性を示すものである。ここに示されたすべてのアミン反応体（実施例１に示す一般的な方法によるシリコーンクアットの製造に使用した）は、メチルシロキサン単位の形（アミノエチルアミノイソブチル）のアミンを含有する、末端基がトリメチルシリルであるポリジメチルシロキサンであった。
【表２】
　
　
」（特表２００５−５０７０２２号公報の段落【００４６】〜【００５２】）
　
（刊２−３）「［００５６］インストロンコミング（INSTRON COMBING）は、濡れた状態の梳き（ウエットコミング）と乾いた状態の梳き（ドライコミング）の容易さによってヘアコンディショニングを決定する、工業的に認知された試験である。このテストは、髪をとかすのに必要な力を測定する装置であるインストロン歪みゲージを用いて行った。
コンディショニング能力は、シャンプーあるいはヘアコンディショナなどの特別なヘアトリートメント剤の能力に基づくものであり、インストロン歪みゲージで髪をとかすのに必要な力を減少させる。この力は、平均コミング負荷（Average Combing Load(ACL)）として報告されている。ＡＣＬ値が低いほど、被検剤の調整効率がよい
トリートメントの効果は、処理を行った房のＡＣＬ、あるいは、次の式で計算されるＡＣＬ減少率として与えられる。（（非処理髪ＡＣＬ−処理髪ＡＣＬ／非処理髪ＡＣＬ）＊１００）
［００５７］インストロンウエットコミング（INSTRON WET COMBING）方法に従って、まず髪を蒸留水につけて濡らし、房を３回梳かすことによって髪のもつれをほどいた。次いで房を蒸留水に３回つけてもつれさせた。人差し指と中指の間に房を２回通して余分な水を房から除去した。次いで房をハンガーにかけてインストロン（INSTRON）コムを行った。「もつれさせる」および「インストロン（INSTRON）コミング」ステップを、各房につき、５つのデータポイントを集めるまで繰り返した。各処理について３つの房の平均コミング力を測定した。
本実施例のコンディショナについてのインストロンウエットコミング（INSTRON WET COMBING）試験
９５％の信頼レベル
シリコーン第４アンモニウム化合物を含有するコンディショナが、第４物質が入っていないコントロールコンディショナ、および、有機第４物質のみを含有するコンディショナに比較して、ウエットコミング力を大きく減少させていることを示す
従ってこれはもっとも改善された髪の調整を示すものである
［００５８］インストロンドライコミング（INSTRON DRY COMBING）法に従って、房を３回梳かすことによって髪のもつれをほどいた。次いで房を時計方向に３回、反時計方向に３回蒔くことによって、もつれさせた。次いで房をハンガーにかけてインストロン（INSTRON）コムを行った。「もつれさせる」および「インストロンコミング」ステップを、各房につき、５つのデータポイントを集めるまで繰り返した。各処理について３つの房の平均コミング力を測定した。
本実施例のコンディショナについてのインストロンドライコミング（INSTRON DRY COMGING）試験
シリコーン第４化合物を有するコンディショナが、第４物質が入っていないコントロールコンディショナ、および、有機第４物質のみを含有するコンディショナに比較して、ドライコミング力を大幅に減少させていることを示し、従って最も改善された髪の調整を示すものである
・・・
［００６０］コンディショナＡ、ＢおよびＣは、対官能比較テスト(paired sensory comparison test)によって、処理を行った髪の、ボディ／体積について報告者による の試験を行った。この結果を表７に示す。表７のアスタリスクのついた利点は、９５％の信頼レベルにおける統計学的有意を意味する。官能テストの結果は、このシリコーン第４化合物を含有するコンディショナが、第４物質を含有していないコントロールコンディショナおよび有機第４物質のみを含有するコンディショナに比して、ボディ／体積について更なる改善された利点を提供する旨を示している
【表４】
　
　
ａのアスタリスクは、被試験コンディショナが、９５％の信頼レベルにおいて、特定のコンディショナより優れている旨を示す。
【表５】
　
　
ａのアスタリスクは、被試験コンディショナが、９５％の信頼レベルにおいて、特定のコンディショナより優れている旨を示す。
【表６】
　
　
ａの表示は、観察が９５％の信頼レベルにおいて有意である旨を示す。
【表７】
　
　
ａの表示は、観察が９５％の信頼レベルにおいて有意である旨を示す。
実施例４  コンディショナ
コンディショナの作成
以下の組成のリンスオフコンディショナを作成した。
【表８】
　
　
１  表３の注１、２、３および６を適用する。
２  実施例１から得た。
３  本表のq.s. to 100は、１００％まで水を加えたことを意味する。
４  コンディショナ中の１．７重量パーセントのシリコーンクアットと当量
・・・
［００６３］実施例３と同様に、本実施例のコンディショナを用いてインストロンコミング（INSTRON COMBING）試験を行った。表１５および表１６に示すその結果は、リンスオフコンディショナ中の
０．１％の低濃度の被試験シリコーン第４化合物でも、ウエットおよびドライコミング力の減少が生じ、従って、ヘアコンディションが改善されている
【表１５】
　
　
ａの表示は、被試験コンディショナが、９５％の信頼レベルにおいて、特定のコンディショナより優れている旨を示す。
【表１６】
　
　
ａの表示は、被試験コンディショナが、９５％の信頼レベルにおいて、特定のコンディショナより優れている旨を示す。
実施例７  シャンプー
シャンプーの作成
以下の組成のシャンプーを作成した。
【表１７】
　
　
１  Standapol ES-3、30%活性（ソディウムラウレススルフェート）であり、ニュージャージー州ホボッケン所在のコグニスコーポレーション（Cognis Corp.）社から入手可能である。
２  Calamide Cは、カリフォルニア州サンタフェスプリングス所在のパイロットケミカルコーポレーション（Pilot Chemical Corp.）社から入手可能である。
３  Crothix は、ニュージャージー州パーシプパンシィ所在の、クローダインコーポレーション（Croda, Inc.）社から入手可能である。
４  Monateric CABは、30%活性（コカミドプロピルベタイン）であり、ニュージャージー州パターソン所在のユニケマ（Uniqema）社から入手可能である。
５  実施例２、表２のものである。
６  Glydant（登録商標）は、55％活性（ＤＭＤＭヒダントイン）であり、ニュージャージー州フェアローン所在のロンザインコーポレーション（Lonza, Inc.）社から入手可能である。
７  この表で、「q.s. to 100」は、１００％まで水を加えることを意味する。
８  シャンプー中のシリコーン第４物質2.0重量パーセントと当量である。
［００６４］脱イオン水を混合容器に加え、６５℃に加熱した。中速で攪拌し、ＰＥＧ−１５０ペンタエリスリチルテトラステアレートを完全に分散させた。熱を止めて、ソディウムラウレススルフェートフォーミュレーション、コカミドDEA、およびコカミドプロピルベタインフォーミュレーションを加え、４０℃以下の温度でシリコーンエマルジョンを加えた（シャンプーＢの場合）。シャンプーを５〜１０分間攪拌して、次いでＤＭＤＭヒダントインフォーミュレーションを加えた。水のロスを補填し、これを更に５分間混合した。シャンプー剤の最終ｐＨは約６〜７であった。
テスト
［００６５］実施例３と同様に、
本実施例のシャンプーでインストロンウエットコミング（INSTRON WET COMBING）を実施
シリコーン第４化合物を含有するシャンプーが、シリコーン第４物質を含有していないコントロールシャンプーに比して、ウエットコミング力が大幅に減少し、従って、調整の改善を示している
［００６６］
シャンプーＡおよびＢで処理した髪の房を、ウエットコミングを容易性について報告者による対官能比較試験を行った
シリコーン第４化合物を含有するシャンプーが、シリコーン第４物質を含有していないコントロールシャンプーに比して、ウエットコミングにおいて利点を提供することを示している
【表１８】
　
　
ａの表示は、被試験コンディショナが、９５％の信頼レベルにおいて、特定コンディショナより優れている旨を示す。
【表１９】
　
　
ａのアスタリスクは、観察が９５％の信頼レベルにおいて有意である旨を示す。
実施例８  シャンプー
シャンプーの作成
以下の組成のシャンプーを作成した。
【表２０】
　
　
１  表１７の注１、２、３、４および６を適用する。
２  
実施例１から得た
３  本表のq.s. to 100は、１００％まで水を加えたことを意味する。
４  シャンプー中１．７重量パーセントのシリコーンクアットと当量」（特表２００５−５０７０２２号公報の段落【００５６】〜【００５８】，【００６０】，【００６３】〜【００６６】）
　
３．特開昭６３−０２２０１０号公報（原査定における引用文献３。以下、「刊行物３」という。）
　
（刊３−１）「
技術分野
　本発明は特別の種類のシリコーン重合体及びその様な重合体のための揮発性担体を含むために髪のコンディショニング及びスタイル保持特性を改良する整髪組成物（ｈａｉｒ　ｃａｒｅ　ｃｏｍｐｏｓｉｔｉｏｎ　）に関する。」（２頁左上欄７〜１２行）
　
（刊３−２）「本発明によりある種の硬質シリコーン重合体及び揮発性担体を含んでなる整髪組成物が増大したスタイル保持性を与えることが見出された。これらの組成物は任意の通常の形態であってよく、例えばシャンプー、コンディショナー、ヘアスプレー、トニック、ローション及びムースなどが挙げられるが、これらに限られるものではない。これらの組成物は櫛入れの容易さなどの乾燥髪特性を減少させることなく髪に増大したスタイル保持性を与える。
　これは整髪組成物にコンディショナーとして典型的に用いられてきたその他のシリコーン材料が髪の保持性を損ない、及び髪のスタイル保持性のためにしばしば用いられてきた樹脂類及びガム類が一般的に櫛入れなどの乾燥髪特性を損なってきたので驚くべきことである。
　本発明の目的は高分子量硬質シリコーン重合体を含有する整髪組成物を提供することである。
　更に本発明の目的は揮発性担体を含有する安定な整髪組成物を提供することである。
　更に本発明の目的は良好なスタイル保持性を与える整髪組成物を提供することである。
　更に本発明の目的は良好なコンディショニングを与える整髪組成物を提供することである。
　更に本発明の目的は一時的に髪にスタイルを与えコンディショニングをする改良された方法を提供することである。
　更に本発明の目的は改良されたスタイル保持性のために髪の処理方法を提供することである。
　これら及びその他の目的は以下の詳細な説明により容易に明らかとなるであろう。
　特に断りのない限り、本明細書における全てのパーセント及び比は重量基準である。」（２頁右上欄１９行〜右下欄１１行）
　
（刊３−３）「
硬質シリコーン重合体
　本発明の組成物は髪に適用された際に
スタイル保持利益を付与する少なくとも１種の硬質シリコーン重合体を含有する
　これらの重合体は組成物の約０．０１％〜１％〜約１好ましくは約０．０５％〜５％〜約７める。
　本発明において有用な重合体はヒドロキシル基などの末端基を有するものを包含する充填剤強化ポリジメチルポリシロキサンガム類、
有機置換シリコーンエラストマーなどの架橋シロキサン類
架橋シロキサン重合体などが挙げられるが、これらに限定されるものではない
　
第４　当審の判断
　
１．本願発明１について
　
（１）刊行物１に記載された発明
　
ア　刊行物１には、前記（刊１−１）の請求項１のとおりの、シロキサンオリゴマーまたはポリマー（Ｉ）と架橋剤（ＩＩ）とを希釈剤（ＩＩＩ）中で反応させることによって製造されるシリコ−ンエラストマーが記載されており、また、前記（刊１−１）の請求項５のとおり、界面活性剤が存在する組成物である点も記載され、前記（刊１−３）の［００１９］〜［００２０］のとおり、シロキサンオリゴマーまたはポリマー（Ｉ）において採り得る官能基の一つとしてのＦ基が、第４級アンモニウム塩基を採り得ること、シロキサンオリゴマーまたはポリマー（Ｉ）において採り得る反応基の一つとしてのＺ’基が、アミン官能基を採り得ること、さらに、前記（刊１−３）の［００６７］のとおり、希釈剤（ＩＩＩ）において採り得る態様の一つとして、水（ｉ）および／または極性有機溶媒（ｉｉｉ）を使用する場合について、反応を乳化重合として実行するのが好ましく、重合および乳化に伴い、得られるシリコーンエラストマー組成物は、エマルジョン、好ましくはマイクロエマルジョンの形態をとる組成物であることも記載されている。そして、本シリコーンエラストマー組成物は、前記（刊１−３）の［００７０］のとおり、パーソナルケア製品において、ヘアシャンプー、ヘアコンディショナー、ヘアスプレー、ムース、パーマ、脱毛剤、およびキューティクルコート（以下、これらの用途をまとめて「ヘアコンディショナー等」ともいう。）においても使用することができるものである点が記載されている。そして、ヘアコンディショナー等において使用され得るものであれば、毛髪に塗布することを含む、毛髪を処理する方法において用いられるパーソナルケア配合物であるということができる。
　
イ　そうすると、刊行物１には、選択肢の一つの態様として、次の発明（以下、「刊行物１発明Ａ」という。）が記載されているということができる。
　
（刊行物１発明Ａ）：ヘアコンディショナー等において使用することができる、（Ｉ）全成分の重量に基づいて０．１〜９９．８９重量％の、
【化１】
　　　　Ｙ
　　　　｜　
　　Ｙ−Ｓｉ−Ｏ−　
　　　　｜　
　　　　Ｙ　
　
［式中、Ｙはそれぞれ独立して、Ｒ’（１〜３０個のＣ原子を有するアルキル基、６〜１５個の炭素原子を有するアリール基、６〜１５個の炭素原子を有するアルカリール基、および６〜１５個の炭素原子を有するアラルキル基）、Ｚ（エポキシ官能基またはクロロヒドリン官能基から選択される反応基）、Ｚ’（エポキシ官能基またはクロロヒドリン官能基と反応するアミン官能基）、Ｆ（ＺまたはＺ’以外の第４級アンモニウム塩基）、およびＯ（酸素基）から選択され、ただし、シロキサン中の少なくとも５０モル％のＹ基はＲ’であるものとし、シロキサン中には少なくとも２つのＺおよび／またはＺ’基があるものとする］の単位を有するシロキサンオリゴマーまたはポリマーと、
（ＩＩ）全成分の重量に基づいて０．１〜９９．８９重量％の架橋剤（ここで、該架橋剤は、Ｚおよび／またはＺ’基を含有し、ただし、シロキサン（Ｉ）のＹがＺ基を含有する場合には該架橋剤はＺ’基を含有し、シロキサン（Ｉ）のＹがＺ’基を含有する場合には該架橋剤はＺ基を含有し、シロキサン（Ｉ）のＹがＺおよびＺ’基を含有する場合には該架橋剤はＺ基、Ｚ’基、またはその両方を含有する）とを（ここで、さらに（Ｉ）、（ＩＩ）、または（Ｉ）および（ＩＩ）の両方は少なくとも１つのＦ基を含有する）、
（ＩＩＩ）全成分の重量に基づいて０．１〜９９．８９重量％の、（ｉ）水、（ｉｉ）シリコーン流体、（ｉｉｉ）極性有機化合物、および（ｉｖ）無極性有機化合物、ならびに（ｖ）それらの混合物から選択される希釈剤中で反応させることによって製造される、エマルジョン、好ましくはマイクロエマルジョンの形態をとるシリコーンエラストマーであって、さらに界面活性剤も存在するシリコーンエラストマー組成物を、毛髪に塗布することを含む、毛髪を処理する方法。
　
（２）対比（本願発明１と刊行物１発明Ａの一致点・相違点の認定）
　
ア　刊行物１発明Ａのシロキサンオリゴマーまたはポリマーは、第４級アンモニウム塩基Ｆと、エポキシ官能基またはクロロヒドリン官能基と反応するアミン官能基Ｚ’とを有し得る点で、本願発明１のシラン又はシロキサンを包含する。
　
イ　また、刊行物１発明Ａのシロキサンオリゴマーまたはポリマーは、エマルジョン、好ましくはマイクロエマルジョンの形態をとるシリコーンエラストマー組成物である点で、本願発明１のエラストマー系シランまたはシロキサンを包含する。
　
ウ　そうすると、本願発明１と刊行物１発明Ａとの間には、次の一致点・相違点があるということができる。
　
（一致点Ａ）：毛髪を処理する方法であって、水、架橋剤及び界面活性剤の存在下で調整される第四級アンモニウム基を分子中に有するエラストマー系シランまたはシロキサンをエマルジョンまたはマイクロエマルジョンとして含有するエマルジョンまたはマイクロエマルジョンを、毛髪に塗布することを含む、毛髪を処理する方法。
　
（相違点１Ａ）：第四級アンモニウム基Ｆを分子中に有するエラストマー系シランまたはシロキサンをエマルジョンまたはマイクロエマルジョンとして含有するエマルジョンまたはマイクロエマルジョンを得るための調整に関し、本願発明１は、(v)水性極性相中に分散された(iii)架橋剤および(iv)界面活性剤の存在下で(i)エポキシド基またはハロヒドリン基を分子中に有する有機第四級アンモニウム化合物と(ii)アミノ基を分子中に有するシランまたはシロキサンとを反応させることによって調製するのに対して、刊行物１発明Ａは、架橋剤および界面活性剤が分散される水性極性相の存在が特定されておらず、また、(i)エポキシド基またはハロヒドリン基を分子中に有する有機第四級アンモニウム化合物と(ii)アミノ基を分子中に有するシランまたはシロキサンとを反応させることによって調製するものである点が特定されていない点。
　
（相違点２Ａ）：第四級アンモニウム基を分子中に有するエラストマー系シランまたはシロキサンをエマルジョンまたはマイクロエマルジョンとして含有するエマルジョンまたはマイクロエマルジョンに関し、本願発明１は、第四級アンモニウム基を分子中に有するエラストマー系シランまたはシロキサンをエマルジョンまたはマイクロエマルジョンの油相として含有する水中油型（Ｏ／Ｗ）または油中水型（Ｗ／Ｏ）のエマルジョンまたはマイクロエマルジョンと特定されるのに対して、刊行物１発明Ａは、このような特定がなされていない点。
　
（３）判断（相違点についての検討）
　
ア　相違点１Ａについて、刊行物１には、シロキサンオリゴマーまたはポリマーが、第４級アンモニウム塩基Ｆと、エポキシ官能基またはクロロヒドリン官能基と反応するアミン官能基Ｚ’（なお、「アミン官能基」が「アミノ基」と同じものを意味することは、当業者において自明のことである。）とを有し得る点は記載されているが、具体的に、(v)水性極性相中に分散された(iii)架橋剤および(iv)界面活性剤の存在下で(i)エポキシド基またはハロヒドリン基を分子中に有する有機第四級アンモニウム化合物と(ii)アミノ基を分子中に有するシランまたはシロキサンとを反応させることによって調製するものである点が記載されておらず、これを示唆するところもない。
　
イ　一方、刊行物２には、前記（刊２−１）のとおり、「第４級アンモニウム官能シリコーンを含有するエマルジョン組成物」、「個人ケアの用途」、「コンディショニングは、髪に塗布した後に髪をとかす力が少なくてすむようにするヘアトリートメント製品の作用として規定することができる」、「第４級アンモニウム官能シリコーンを基材とする配合は、髪に優れた調整効果を提供する」との記載があり、前記（刊２−３）のとおり、平均コミング負荷ＡＣＬ値が低いほど、被検剤の調整効率がよい点、トリートメントの効果はＡＣＬ減少率として与えられる点、具体的にＡＣＬ値が減少した例も示されているが、前記（刊２−２）のとおり、実施例においては、官能シリコーンを製造した後に、エマルジョンを得ており、具体的に、(v)水性極性相中に分散された(iii)架橋剤および(iv)界面活性剤の存在下で(i)エポキシド基またはハロヒドリン基を分子中に有する有機第四級アンモニウム化合物と(ii)アミノ基を分子中に有するシランまたはシロキサンとを反応させることによってエマルジョンとして調製するものである点は記載されておらず、これを示唆するところもない。
　
ウ　刊行物３においても、前記（刊３−１）〜（刊３−３）のとおりであるから、第四級アンモニウム基を分子中に有するエラストマー系シランまたはシロキサンをエマルジョンまたはマイクロエマルジョンとして含有するエマルジョンまたはマイクロエマルジョンを得るための調整に関し、具体的に、(v)水性極性相中に分散された(iii)架橋剤および(iv)界面活性剤の存在下で(i)エポキシド基またはハロヒドリン基を分子中に有する有機第四級アンモニウム化合物と(ii)アミノ基を分子中に有するシランまたはシロキサンとを反応させることによって調製するものである点は記載されておらず、これを示唆するところもない。
　
エ　翻って、本願明細書には、相違点１に関し、次の記載がある。
　
（本１）「【０００３】
　’０１２号出願、’９６９号特許および’７５３号出願に記載されるように、第四級アンモニウム官能性シランおよび第四級アンモニウム官能性シロキサンは、繊維産業およびパーソナルケア分野において、様々な商業的用途を有する。また、これらは、フィラー、繊維および表面の改質において、抗菌剤、増粘剤ならびにコンディショニング剤として、使用可能である。
【０００４】
　これらの用途および使用の多くにおいて、
第四級アンモニウム官能性シランおよび第四級アンモニウム官能性シロキサンを、エマルジョンまたはマイクロエマルジョンとして供給する必要性がしばしばある
従来の知識では
界面活性剤および水と合わせ、エマルジョンが形成されるまで混合すべき
【発明の開示】
【発明が解決しようとする課題】
【０００５】
　第四級アンモニウム官能性シランおよびシロキサンの
最終使用者にとって、エマルジョンおよびマイクロエマルジョンを調製することはしばしば不便
【課題を解決するための手段】
【０００６】
　’７５３号出願が、第四級アンモニウム官能性シランおよび第四級アンモニウム官能性シロキサンを含有するエマルジョンの製造方法を記載している一方で、この方法は、
従来の知識の適用
エマルジョンが形成されるまで混合することを必要とする
【０００７】
　しかしながら、
本出願によるエマルジョンおよびマイクロエマルジョンの製造方法は
第四級アンモニウム官能性シランまたはシロキサンを使用するのではなく、互いに反応して第四級アンモニウム官能性シランまたはシロキサンを形成するモノマーを出発物質として用いて、第四級アンモニウム官能性シランまたはシロキサンを実際にエマルジョン中で合成する
　
　これによれば、本願発明１は、相違点１Ａに関しては、第四級アンモニウム官能性シランまたはシロキサンを得て、これを混合してエマルジョンを得るものとは異なり、互いに反応して第四級アンモニウム官能性シランまたはシロキサンを形成するモノマーを出発物質として用いて、第四級アンモニウム官能性シランまたはシロキサンをエマルジョン中で合成するものであるというべきである。
　
オ　相違点１Ａに関しては、前記ア〜ウのとおりであるところ、前記エをも踏まえれば、なおさら、相違点１Ａに係る構成は、刊行物１発明Ａを知る当業者が、刊行物２，３にも接したとしても、容易になし得たものであるということはできないというべきである。
　
カ　そうすると、エマルジョンまたはマイクロエマルジョンにおいて合成される、第四級アンモニウム基を分子中に有するエラストマー系シランまたはシロキサンが、水中油型（Ｏ／Ｗ）または油中水型（Ｗ／Ｏ）の油相として含有され得るか否かにかかわらず、すなわち、相違点２Ａの容易想到性にかかわらず、本願発明１は、当業者が刊行物１〜３に記載された発明に基づいて容易になし得たものであるということはできない。
　
２．本願発明２〜９について
　
　本願発明２〜９は、本願発明１を引用し、本願発明１にさらに限定を付加するものであるので、本願発明２〜９についても、本願発明１と同様に、引用例１〜３に記載された発明に基づいて当業者が容易に発明することができたものとすることはできない。 
　
３．本願発明１０について
　
（１）刊行物１に記載された発明
　
　前記１．（１）アによれば、刊行物１には、選択肢の一つの態様として、次の発明（以下、「刊行物１発明Ｂ」という。）が記載されているということができる。
　
（刊行物１発明Ｂ）：（Ｉ）全成分の重量に基づいて０．１〜９９．８９重量％の、
【化１】
　　　　Ｙ
　　　　｜
　　Ｙ−Ｓｉ−Ｏ−
　　　　｜
　　　　Ｙ
　
［式中、Ｙはそれぞれ独立して、Ｒ’（１〜３０個のＣ原子を有するアルキル基、６〜１５個の炭素原子を有するアリール基、６〜１５個の炭素原子を有するアルカリール基、および６〜１５個の炭素原子を有するアラルキル基）、Ｚ（エポキシ官能基またはクロロヒドリン官能基から選択される反応基）、Ｚ’（エポキシ官能基またはクロロヒドリン官能基と反応するアミン官能基）、Ｆ（ＺまたはＺ’以外の第４級アンモニウム塩基）、およびＯ（酸素基）から選択され、ただし、シロキサン中の少なくとも５０モル％のＹ基はＲ’であるものとし、シロキサン中には少なくとも２つのＺおよび／またはＺ’基があるものとする］の単位を有するシロキサンオリゴマーまたはポリマーと、
（ＩＩ）全成分の重量に基づいて０．１〜９９．８９重量％の架橋剤（ここで、該架橋剤は、Ｚおよび／またはＺ’基を含有し、ただし、シロキサン（Ｉ）のＹがＺ基を含有する場合には該架橋剤はＺ’基を含有し、シロキサン（Ｉ）のＹがＺ’基を含有する場合には該架橋剤はＺ基を含有し、シロキサン（Ｉ）のＹがＺおよびＺ’基を含有する場合には該架橋剤はＺ基、Ｚ’基、またはその両方を含有する）とを（ここで、さらに（Ｉ）、（ＩＩ）、または（Ｉ）および（ＩＩ）の両方は少なくとも１つのＦ基を含有する）、
（ＩＩＩ）全成分の重量に基づいて０．１〜９９．８９重量％の、（ｉ）水、（ｉｉ）シリコーン流体、（ｉｉｉ）極性有機化合物、および（ｉｖ）無極性有機化合物、ならびに（ｖ）それらの混合物から選択される希釈剤中で反応させることによって製造される、エマルジョン、好ましくはマイクロエマルジョンの形態をとるシリコーンエラストマーであって、さらに界面活性剤も存在するシリコーンエラストマー組成物を含有するヘアシャンプー、ヘアコンディショナー、ヘアスプレー、ムース、パーマ、脱毛剤、およびキューティクルコート。
　
（２）対比（本願発明１０と刊行物１発明Ｂの一致点・相違点の認定）
　
　前記１．（２）のとおりであるから、本願発明１０と刊行物１発明Ｂとの間には、次の一致点・相違点があるということができる。
　
（一致点Ｂ）：水、架橋剤及び界面活性剤の存在下で調整される第四級アンモニウム基Ｆを分子中に有するエラストマー系シランまたはシロキサンをエマルジョンまたはマイクロエマルジョンとして含有するエマルジョンまたはマイクロエマルジョンを含有するヘアシャンプー、ヘアコンディショナー、ヘアスプレー、ムース、パーマ。
　
（相違点１Ｂ）：第四級アンモニウム基Ｆを分子中に有するエラストマー系シランまたはシロキサンをエマルジョンまたはマイクロエマルジョンとして含有するエマルジョンまたはマイクロエマルジョンを得るための調整に関し、本願発明１０は、(v)水性極性相中に分散された(iii)架橋剤および(iv)界面活性剤の存在下で(i)エポキシド基またはハロヒドリン基を分子中に有する有機第四級アンモニウム化合物と(ii)アミノ基を分子中に有するシランまたはシロキサンとを反応させることによって調製するのに対して、刊行物１発明Ｂは、架橋剤および界面活性剤が分散される水性極性相の存在が特定されておらず、また、(i)エポキシド基またはハロヒドリン基を分子中に有する有機第四級アンモニウム化合物と(ii)アミノ基を分子中に有するシランまたはシロキサンとを反応させることによって調製するものである点が特定されていない点。
　
（相違点２Ｂ）：第四級アンモニウム基を分子中に有するエラストマー系シランまたはシロキサンをエマルジョンまたはマイクロエマルジョンとして含有するエマルジョンまたはマイクロエマルジョンに関し、本願発明１０は、第四級アンモニウム基を分子中に有するエラストマー系シランまたはシロキサンをエマルジョンまたはマイクロエマルジョンの油相として含有する水中油型（Ｏ／Ｗ）または油中水型（Ｗ／Ｏ）のエマルジョンまたはマイクロエマルジョンと特定されるのに対して、刊行物１発明Ｂは、このような特定がなされていない点。
　
（３）判断（相違点についての検討）
　
　相違点１Ｂ及び相違点２Ｂは、それぞれ、前記１．（２）において認定した相違点１Ａ及び相違点２Ａに相当することが明らかである。
　したがって、その判断についても、前記１．（３）のとおりである。
　よって、本願発明１０は、刊行物１〜３に記載された発明に基づいて当業者が容易に発明することができたものであるということはできない。
　
　なお、平成２５年９月３０日付けで通知された拒絶理由は、削除された請求項１１に対して特許法第３６条第６項第１号の記載不備を指摘するとともに、実施例の記載に関して特許法第３６条第４項第１号の記載不備を指摘したものであり、当該請求項１１が削除され、「実施例」と「参考例」を明確に区別する補正がなされたため、解消している。
　
第５　むすび
　
　以上のとおり、本願発明１〜１０は、刊行物１〜３に記載された発明に基づいて当業者が容易に発明することができたものとすることができない。
　また、他に本願を拒絶すべき理由を発見しない。
　よって、結論のとおり審決する。